(57)【要約】【課題】簡易な構成により、水分や有害ガスの侵入を阻止することによって内設部品の劣化を防ぎ、長期に亘りフィルタ特性を安定維持することができる高気密性の伝送線介設型濾波器を提供することにある。【解決手段】伝送線介設型濾波器１は、フィルタ回路部２、筒状ケース３、コネクタソケット部５、コネクタプラグ部７等から構成され、上記コネクタソケット部５には、接続ピン４を挿通保持するピン支持部材１２を設けてコネクタソケット部１２部内に臨む後退凹部１３を形成し、この後退凹部１３に防水絶縁樹脂１３ａを充填し、かつ、上記コネクタプラグ部７には、ピン受体６を挿通保持するピン受支持部材１７を設けてフィルタ回路部２に臨む後退凹部１８を形成し、この後退凹部１８に防水絶縁樹脂１８ａを充填する。【選択図】図１
2005268148.tif 000002
【特許請求の範囲】
【請求項１】
フィルタ回路部を収容した導電性の筒状ケースと、この筒状ケースの一端側を閉じつつ上記フィルタ回路部に伝送機器を接続するための接続ピンを内設したコネクタソケット部と、同筒状ケースの他端側を閉じつつ上記フィルタ回路部に伝送機器を接続するためのピン受体を内設したコネクタプラグ部とからなる伝送線介設型濾波器において、
上記コネクタソケット部には、その接続ピンを挿通して絶縁保持するピン支持部材を設け、このピン支持部材をコネクタソケット部側から後退した位置に保持してこのコネクタソケット部内に臨む後退凹部を形成し、この後退凹部に防水絶縁樹脂を充填するとともに、上記コネクタプラグ部には、そのピン受体を挿通して絶縁保持するピン受支持部材を設け、このピン受支持部材を上記フィルタ回路部側から後退した位置に保持してこのフィルタ回路部に臨む後退凹部を形成し、この後退凹部に防水絶縁樹脂を充填したことを特徴とする伝送線介設型濾波器。
【請求項２】
前記コネクタソケット部は、前記筒状ケースと一体に形成するとともに、前記コネクタプラグ部は、前記筒状ケースと別体に形成して同筒状ケースとの間を防水固定接着剤により充填固定したことを特徴とする請求項１記載の伝送線介設型濾波器。
【請求項３】
前記コネクタプラグ部と前記筒状ケースとの間は、螺合機構により固定したことを特徴とする請求項２記載の伝送線介設型濾波器。
【請求項４】
前記コネクタプラグ部と前記筒状ケースとの間は、圧入嵌合により固定し、かつ、Ｏリングにより封止したことを特徴とする請求項２記載の伝送線介設型濾波器。
【発明の詳細な説明】
【技術分野】
【０００１】
本発明は、長期に安定してフィルタ特性を維持することが可能な簡易な構成の伝送線介設型濾波器に関するものである。
【背景技術】
【０００２】
ＣＡＴＶ等の共用伝送線は、分岐器によって分けた同軸ケーブルを端末機側の通信装置まで引き込む場合等に、端末機側から導出されるノイズ等による相互干渉および外部ノイズの影響を防止するために帯域通過フィルタが使用される。屋外配置の分岐器の分岐側等に上記帯域通過フィルタを配置する場合等は、防水型の伝送線介設型濾波器が使用される。この伝送線介設型濾波器は、例えば、特許文献1に示すように、印刷基板上に電子部品を実装したフィルタ回路部を金属製の筒状ケース内に収納し、その両端に単芯のコネクタ部を形成したものである。このコネクタ部には、Ｏリングガスケットを用いた防水機構が組み込まれ、この防水機構と筒状ケースとによりフィルタ回路部を外部環境から保護している。
【０００３】
しかし、長期に亘る屋内外使用に際し、コネクタ部等から僅かに侵入する水分や有害ガスがフィルタ回路部に作用することにより、電子部品が劣化して特性変動を招くことから、特に、高周波高速伝送に伴う伝送路周波数特性の広帯域化、端末機側の高速デジタル化等に対応することが困難となっている。その一方で、コネクタ部を高気密化するには、構成の複雑化が避けられないという問題を抱えている。
【特許文献１】登録実用新案第３０６６８６８号公報
【発明の開示】
【発明が解決しようとする課題】
【０００４】
解決しようとする問題点は、簡易な構成により、水分や有害ガスの侵入を阻止して内設部品の劣化を防ぎ、長期に亘りフィルタ特性を安定維持することができる高気密性の伝送線介設型濾波器を提供することにある。
【課題を解決するための手段】
【０００５】
請求項１に係る発明は、フィルタ回路部を収容した導電性の筒状ケースと、この筒状ケースの一端側を閉じつつ上記フィルタ回路部に伝送機器を接続するための接続ピンを内設したコネクタソケット部と、同筒状ケースの他端側を閉じつつ上記フィルタ回路部に伝送機器を接続するためのピン受体を内設したコネクタプラグ部とからなる伝送線介設型濾波器において、上記コネクタソケット部には、その接続ピンを挿通して絶縁保持するピン支持部材を設け、このピン支持部材をコネクタソケット部側から後退した位置に保持してこのコネクタソケット部内に臨む後退凹部を形成し、この後退凹部に防水絶縁樹脂を充填するとともに、上記コネクタプラグ部には、そのピン受体を挿通して絶縁保持するピン受支持部材を設け、このピン受支持部材を上記フィルタ回路部側から後退した位置に保持してこのフィルタ回路部に臨む後退凹部を形成し、この後退凹部に防水絶縁樹脂を充填したことを特徴とする。
【０００６】
上記フィルタ回路部は、筒状ケース内でコネクタソケット部とコネクタプラグ部とによって両端が閉止され、そのコネクタソケット部の接続ピンの外周支持隙間およびピン支持部材の外周支持隙間は、そのコネクタソケット部側に臨む後退凹部に充填された防水絶縁樹脂によって封止され、また、コネクタプラグ部のピン受体の外周支持隙間およびピン受支持部材の外周支持隙間は、そのフィルタ回路部側に臨む後退凹部に充填された防水絶縁樹脂によって封止される。
【０００７】
請求項２に係る発明は、請求項１の構成において、前記コネクタソケット部は、前記筒状ケースと一体に形成するとともに、前記コネクタプラグ部は、前記筒状ケースと別体に形成して同筒状ケースとの間を防水固定接着剤により充填固定したことを特徴とする。上記コネクタプラグ部は、筒状ケースと別体に形成したことから、接続ピン、ピン支持部材を取付けたフィルタ回路部にコネクタプラグ部をサブアセンブリとして組み付けた上で、これを開口端側から筒状ケース内に挿入するようにして簡易に組み付けすることができる。
【０００８】
請求項３に係る発明は、請求項２の構成において、前記コネクタプラグ部と前記筒状ケースとの間は、螺合機構により固定したことを特徴とする。
請求項４に係る発明は、請求項２の構成において、前記コネクタプラグ部と前記筒状ケースとの間は、圧入嵌合により固定し、かつ、Ｏリングにより封止したことを特徴とする。
【発明の効果】
【０００９】
本発明の伝送線介設型濾波器は、以下の効果を奏する。
請求項1の効果は、上記伝送線介設型濾波器は、コネクタソケット部からフィルタ回路部に貫通する接続ピンおよびその支持部の隙間を所定の後退凹部に充填した防水絶縁樹脂によって封止し、また、フィルタ回路部からコネクタプラグ部に貫通するピン受体およびその支持部の隙間を所定の後退凹部に充填した防水絶縁樹脂によって封止するように構成したことから、それぞれの防水絶縁樹脂は液垂れすることなく安定して後退凹部に保持されるので、治具等を要することのない簡易な加工処理により、特段の防水機構を要することなく、フィルタ回路部の気密性が確保される。したがって、簡易な構成の伝送線介設型濾波器により長期に安定してフィルタ特性を維持することができる。
【００１０】
請求項２の効果は、コネクタプラグ部を筒状ケースと別体に形成し、これを開口端から筒状ケースに挿入して組み付け可能に構成したことから、防水固定接着剤を用いることにより、高気密性と強度を簡易な構成によって確保することができる。
【００１１】
請求項３の効果は、防水固定接着剤が螺合面による長い経路に作用することから、固着強度と防水封止効果により、コネクタプラグ部を別体構成とした場合の全体の防水封止効果を簡易な構成によって確保することができる。
請求項４の効果は、Ｏリングと防水固定接着剤による封止作用により、コネクタプラグ部を別体構成とした場合における筒状ケースの小径化を図りつつ、全体の防水封止効果を簡易な構成によって確保することができる。
【発明を実施するための最良の形態】
【００１２】
本発明の実施の形態について、以下に図面に基づいて詳細に説明する。
図1は、本発明の伝送線介設型濾波器の縦断面図である。図1において、伝送線介設型濾波器１は、フィルタ回路部２を収容した導電性の筒状ケース３と、この筒状ケースの一端側を閉じつつ上記フィルタ回路部２に伝送機器を接続するコネクタソケット部５と、同筒状ケース３の他端側を閉じつつ上記フィルタ回路部２に機器を接続するコネクタプラグ部７とから構成される。
【００１３】
フィルタ回路部２は、印刷基板上に電子部品を実装して構成され、端末機側から伝送されるノイズ等による相互干渉および外部ノイズの影響を防止するための所定の帯域通過特性を担保するべく形成する。このフィルタ回路部２を外部環境から保護するために、筒状ケース３は、外周を六角形等に形成した筒状部材に円形等の中空部を形成してフィルタ回路部２を収容する。
【００１４】
コネクタソケット部５は、円筒体の内周面に伝送機器接続用の螺合部５ａとＯリングガスケット等による防水機構５ｂを備えて筒状ケース３の一端に一体形成し、その中心軸線に沿ってフィルタ回路部２と接続する接続ピン４を貫通保持する。接続ピン４は、接続する伝送機器側に備えるピン受体と電気的に接続するための端子である。筒状ケース３のコネクタソケット部５側にはボトルネック状の仕切１１を形成し、接続ピン４を挿通して絶縁保持するピン支持部材１２を保持する。このピン支持部材１２は、フィルタ回路部２側からテーパ嵌合してコネクタソケット部５側から後退した位置に保持し、かつ、コネクタソケット部５内に臨む後退凹部１３を座ぐり穴等により形成する。この後退凹部１３には防湿グリュー等の防水絶縁樹脂１３ａを充填することにより、接続ピン４の外周隙間およびピン支持部材１２の外周隙間を高気密に封止することができる。
【００１５】
コネクタプラグ部７は、伝送機器接続用の螺合部７ａを端部外周に備えてこの螺合部７ａを筒状ケース３の他端側に突出するように筒状ケース３と別体に形成する。筒状ケース３との間には、螺合機構１６等の固定手段を介設し、防水固定接着剤１６ａを用いて高気密に封止固着する。コネクタプラグ部７の中心軸線にはフィルタ回路部２と接続するピン受体６を貫通保持する。このピン受体６は、接続する伝送機器側の接続ピンの挿入を案内するとともに、スプリングアクションによって電気的に接続する受側端子である。
【００１６】
コネクタプラグ部７の基部には、ピン受体６を囲むようにカバーするとともに同ピン受体６を挿通して絶縁保持するピン受支持部材１７を設け、このピン受支持部材１７をフィルタ回路部２側から後退した位置に圧入嵌合機構等の固定手段にて保持し、同フィルタ回路部２に臨む後退凹部１８を座ぐり穴等により形成する。この後退凹部１８には、前記同様に防湿グリュー等の防水絶縁樹脂１８ａを充填することにより、ピン受体６の外周隙間およびピン受支持部材１７の外周隙間を高気密に封止することができる。また、フィルタ回路部２を嵌め込み保持するための溝１９をコネクタプラグ部７の端部に形成する。
【００１７】
上述のように構成した伝送線介設型濾波器１は、筒状ケース３と別体に形成したコネクタプラグ部７にフィルタ回路部２、接続ピン４、ピン支持部材１２を取付けて組み付けた上で、これを筒状ケース３内に挿入するべく螺合機構１６によって螺合固定することにより、簡易に組み付けすることができる。
【００１８】
上記構成による伝送線介設型濾波器１のフィルタ回路部２は、筒状ケース３内でコネクタソケット部５とコネクタプラグ部７とを介して伝送機器と接続され、例えば、ＣＡＴＶ等の共用伝送線の分岐器から端末機までの間の伝送線に介設することにより、端末機側から導出されるノイズ等による相互干渉および外部ノイズの影響を防止することができる。
【００１９】
この場合において、伝送線介設型濾波器１は、コネクタソケット部５からフィルタ回路部２に貫通する接続ピン４およびピン支持部材１２の隙間を所定の後退凹部１３に充填した防水絶縁樹脂１３ａによって封止し、また、フィルタ回路部２からコネクタプラグ部７に貫通するピン受体６およびピン受支持部材１７の隙間を所定の後退凹部１８に充填した防水絶縁樹脂１８ａによって封止するように構成したことから、防水絶縁樹脂１３ａ，１８ａは液垂れすることなく安定してそれぞれの後退凹部１３，１８に保持されるので、簡易な充填処理工程により、特段の防水機構を要することなく、フィルタ回路部２の高度の気密性を確保することができる。
【００２０】
例えば、後退凹部１８に充填処理したコネクタプラグ部７を螺合機構１６により防水固定接着剤１６ａを用いて筒状ケース３に螺合固着し、さらに、コネクタソケット部５からその後退凹部１３に充填処理する簡易な組み付け作業により、要求される耐圧基準を満たす高気密度を確保することができる。この場合は、コネクタプラグ部７の螺合機構１６について、螺合により形成される長い屈曲経路に防水固定接着剤１６ａが作用することにより、固着強度と防水封止効果を確保することができるので、コネクタプラグ部７を別体構成とすることに伴う隙間による気密性低下の問題を解決して濾波器全体の防水封止効果を簡易な構成によって確保することができる。
【００２１】
したがって、上述の簡易な構成の伝送線介設型濾波器１は、その高気密性により、屋外環境下を含め、水分や有害ガスの侵入を阻止して長期に亘り所期のフィルタ特性を安定して維持することができる。
【００２２】
また、コネクタプラグ部７の他の固定構造の例を図２に示すように、筒状ケース３に対してコネクタプラグ部７を圧入嵌合２２により固定する場合は、Ｏリングによる封止部２１を形成した上で、防水固定接着剤２２ａを介設する。このように構成することにより、Ｏリング２１と防水固定接着剤２２ａによる封止作用により、コネクタプラグ部７を別体構成とした場合における筒状ケースの小径化を図りつつ、全体の防水封止効果を簡易な構成によって確保することができる。
【図面の簡単な説明】
【００２３】
【図１】本発明の伝送線介設型濾波器の縦断面図である。
【図２】コネクタプラグ部の他の固定構造の例を示す縦断面図である。
【符号の説明】
【００２４】
１    伝送線介設型濾波器
２    フィルタ回路部
３    筒状ケース
４    接続ピン
５    コネクタソケット部
５ａ    螺合部
５ｂ    防水機構
６    ピン受体
７    コネクタプラグ部
７ａ    螺合部
１１    仕切
１２    ピン支持部材
１３    後退凹部
１３ａ    防水絶縁樹脂
１６    螺合機構
１６ａ    防水固定接着剤
１７    ピン受支持部材
１８    後退凹部
１８ａ    防水絶縁樹脂
２１    Ｏリング
２２    圧入嵌合機構
２２ａ    防水固定接着剤
【図１】
2005268148.tif 000003
【図２】
2005268148.tif 000004